(57)【要約】      （修正有）【課題】隣人及び対面者の両者の間を区画することが可能な卓上パーティションを提供する。【解決手段】卓上パーティション１は、卓上に立設する支柱２に、軸線と平行な複数本の溝３が直交する方向に形成され、溝３には、板状に形成されたパネル４の側端が各々挿入され、パネル４の面が直交するように立設する。【選択図】図１
0003228344.tif 000002
【実用新案登録請求の範囲】
【請求項１】
卓上を区画するパーティションであって、
前記卓上に立設する支柱には、軸線と平行な複数本の溝が直交する方向に形成され、
前記溝には、板状に形成されたパネルの側端が各々挿入され、
前記パネルの面が直交するように立設した卓上パーティション。
【請求項２】
前記支柱に形成した複数本の溝に前記パネルが各々挿入され、複数の前記パネルを前記支柱から放射方向に延出させたパーティションユニットを形成した請求項１に記載の卓上パーティション。
【請求項３】
前記支柱に形成した溝に挿入される前記パネルの側端に離脱防止用の係止部を設けた請求項１に記載の卓上パーティション。
【考案の詳細な説明】
【技術分野】
【０００１】  本考案は、テーブルや机、或いは座卓などの卓上に設置する卓上パーティションに関する。
【背景技術】
【０００２】  飲食店や公共施設、或いは娯楽施設等には、複数人が着席可能な机やテーブル或いは座卓が配設されている。しかしながら、１台のテーブルや座卓を一人で独占する場合が多々あり、スペース効率を著しく低下させている。一方、コロナウイルス感染症やインフルエンザ感染症等の感染症が流行した場合には、例え知人同士が同席する場合であっても、飛沫感染対策を施すことが必要となる。小売店や病院や商業施設においては、感染症対策として、透明ビニールカーテンやビニールシートを間仕切りとして使用している。しかし、カーテンやシートは、テーブルや座卓への設置が困難なことから、隣人と間を区画するために、例えば、特開２０１３−２２０１２９号公報（特許文献１）、特開２００５−１４３６９０号公報（特許文献２）に示されるようなパーティションを設置し、隣人との間を区画している。
【先行技術文献】
【特許文献】
【０００３】
【特許文献１】特開２０１３−２２０１２９号公報
【特許文献２】特開２００５−１４３６９０号公報
【考案の概要】
【考案が解決しようとする課題】
【０００４】  ところが、特許文献１及び２に示されるパーティションは、デスクの天板に載置するベース体の上面にレール溝を設け、この溝にパネル体の下部を収納し、パネル体を立設することにより、区画を設けるようにしている。しかしながら、このパーティションは、１枚のパネルを立設していることから、隣人との二人の間は区画されるが、複数人が同席する場合には、隣だけでなく、前方にも対面することになり、上記した特許文献に示されたパーティションでは横と前には対応できない問題がある。【０００５】  本考案が解決しようとする課題は、隣人及び対面者の両者の間を区画することが可能な卓上パーティションを提供することにある。
【課題を解決するための手段】
【０００６】  そこで、本考案による卓上パーティションは、卓上に立設する支柱に、軸線と平行な複数本の溝が直交する方向に形成され、前記溝には、板状に形成されたパネルの側端が各々挿入され、前記パネルの面が直交するように立設したことを要旨としている。【０００７】  また、前記支柱に形成した複数本の溝には前記パネルが各々挿入され、複数の前記パネルを前記支柱から放射方向に延出させたパーティションユニットを形成している。【０００８】  さらに、前記支柱に形成した溝に挿入される前記パネルの側端に離脱防止用の係止部を設けるようにしても良い。
【考案の効果】
【０００９】  本考案によれば、卓上に立設する支柱に、軸線と平行な複数本の溝を直交する方向に形成し、この各溝に板状のパネルを各々挿入することにより、複数枚のパネルの面が直交する。このパーティションを卓上に載置することにより、隣人及び対面者の両者の間を区画することができる。この結果、特に、コロナウイルス感染症やインフルエンザ感染症等の飛沫感染を両方向から予防することが可能になる。また、支柱に形成した溝に板状のパネルを挿入するので、支柱とパネルのみでパーティションを自立させることができる。【００１０】  また、前記支柱に形成した複数本の溝にパネルを各々挿入すると、支柱から複数のパネルが放射方向に延出されることから、独立した個別のパーティションユニットを構成することができる。複数のパーティションユニットを卓上に並置することにより、着席する人数に応じて区画することが可能となる。【００１１】  さらに、支柱に形成した溝に挿入されるパネルの側端に離脱防止用の係止部を設けることにより、パーティションを組み立てた状態で分解することを未然に防止することができる。
【図面の簡単な説明】
【００１２】
【図１】本考案に関わる卓上パーティションの実施例を示す斜視図である。
【図２】卓上パーティションの使用状態を示す説明図である。
【図３】支柱の下端部を示す断面図である。
【図４】本考案に関わる卓上パーティションの他の実施例を示す要部斜視図である。
【図５】図４に示す卓上パーティションの使用状態を示す説明図である。
【図６】パネルの側端に形成した係止部の実施例を示す要部斜視図である。
【考案を実施するための形態】
【００１３】  卓上パーティションは、卓上に立設する支柱に、軸線と平行な複数本の溝が直交する方向に形成され、前記溝には、板状に形成されたパネルの側端が各々挿入され、前記パネルの面が直交するように立設している。
【００１４】  以下、図面に基づいて本考案の実施例を詳細に説明する。図１は、本考案に関わる卓上パーティションの実施例を示している。パーティション１は、支柱２とパネル４によって構成されている。支柱２は、垂直方向の軸線と平行に複数本の溝３が直交する方向に形成されている。溝３は、支柱２の高さとほぼ同じ長さに形成され、対向する反対側の溝３と連通するように形成されている。また、溝３の幅は、後述するパネル４の板厚よりもやや広く形成されている。図１に示す支柱２の下端部は、図３に示すように、連結部２ａが形成されている。この支柱２は、好ましくはプラスチック又は金属版によって形成され、プラスチックで形成する場合は、一体にモールド成形され、金属版により形成する場合は、略Ｌ字状に屈曲形成した部品を下端で連結することにより構成することができる。
【００１５】  パネル４は、例えば板状の透明なアクリル樹脂により略四角形に形成されている。さらに、高さと幅は、隣人や対面者の人と区画するために必要な大きさに設定されている。また、厚さは、必要な強度が得られるならば、適宜に設定しても良い。なお、支柱２の下端部に連結部２ａが形成されている場合は、図３に示すように、連結部２ａを回避するような切り欠き部４ａを形成することが望ましい。そして、パネル４を支柱２の溝３の側端を各々挿入することにより、４枚のパネル４の面が直交するように立設された卓上パーティション１が完成する。
【００１６】  このように、支柱２の４条の溝３にパネル４の側端を各々挿入することにより、１台の卓上パーティション１として立設させることができる。これにより、１台のパーティションユニットとして取り扱うことができる。
【００１７】  図２は、卓上パーティションの使用状態を示し、例えば、テーブル５は複数人が着席できる大きさとしている。なお、テーブルの他、机、或いは座卓などであっても良い。そして、テーブル５の卓上には、２台の卓上パーティション１が並置されている。各卓上パーティション１は、前述したパーティションユニットを使用することが望ましい。このように卓上パーティション１を載置すると、４枚のパネル４の面が直交するようになり、着席者６は左右のパネル４の間に位置するので、例え、隣人が着席しても、ウイルス感染症やインフルエンザ感染症等の飛沫感染を予防することができる。一方、着席者６の前方もパネル４が対面しているので、同様に、卓上パーティション１の前方の着席者６からの飛沫感染を予防することができる。
【００１８】  図４は、本考案に関わる卓上パーティションの他の実施例を示している。前述した図１に示した卓上パーティションと相違する点は、支柱を変更したことにある。支柱１０は、パイプ状に形成され、軸線と平行に４本の溝１１が、９０度の間隔で形成されている。溝１１の幅は、前述したパネル４の板厚よりもやや大きくしている。また、支柱１０の下端には、支柱１０を立設するための台座１２が取り付けられている。そして、支柱１０の４本の溝１１には、各々パネル４の側端が挿入され、この結果、４枚のパネル４の面が直交するように立設される。
【００１９】  図４に示す卓上パーティションにおいても、前述した実施例と同様に、１本の支柱１０と４枚のパネル４によって、１台の卓上パーティション１として立設させることができ、これによりパーティションユニットとなる。そして、他の実施例の卓上パーティションにおいても、図５に示すように、テーブル５の卓上に卓上パーティション１を載置することにより、隣人と対面者との間で、飛沫感染を予防することができる。また、前述したパーティションユニットを使用することにより、複数人がテーブル５の周囲に着席した状態であっても、各着席者の間が区画され、飛沫感染を予防することができる。
【００２０】  図６は、支柱１０に形成した溝１１に挿入されるパネル４の側端に離脱防止用の係止部４ｂを設けた例を示している。この係止部４ｂを設けたパネル４を支柱１０の溝１１の上方から挿入することにより、パネル４を横方向に移動しても離脱することが阻止できる。この結果、卓上パーティションを組み立てた状態で分解することを未然に防止することができる。
【００２１】  以上、本考案を実施例に基づき具体的に説明したが、本考案は上記実施例に限定されるものではなく、その要旨を逸脱しない範囲で種々変形可能であることは言うまでもない。前述した実施例においては、パネルの幅や高さは適宜に変更しても良く、１枚のパネルの町側の側端を一対の支柱の溝に挿入するように構成しても良い。また、パネルは、透明又は不透明のいずれかを選択するようにしても良い
【符号の説明】
【００２２】１    卓上パーティション
２    支柱
３    溝
４    パネル
４ｂ  係止部
５    テーブル
６    着席者
【図１】
0003228344.tif 000003
【図２】
0003228344.tif 000004
【図３】
0003228344.tif 000005
【図４】
0003228344.tif 000006
【図５】
0003228344.tif 000007
【図６】
0003228344.tif 000008